(57)【特許請求の範囲】
【請求項１】
ＰＬＬにおいて形成された信号を使用して受信信号の周波数変換を行うとともに、上記ＰＬＬの可変分周回路の分周比を変更することにより、上記信号の周波数を変更して受信周波数を変更するようにしたシンセサイザ方式の受信機において、
放送波信号を受信したとき、これを検出する検出回路と、
複数の選局キーと、
データテーブルと、
上記複数の選局キーのそれぞれにデータエリアが対応したメモリと
を有し、
上記データテーブルは、
受信機の使用されるエリアが複数のエリアに分割されたときの、その分割エリアごとに、その分割エリアで受信することのできる放送局の周波数のデータ
を有し、
プリセット時、上記分周比を変更して上記信号の周波数を変更することにより、受信周波数帯をスキャンするとともに、
このスキャン中に上記検出回路が上記放送波信号の検出を示したときには、このときの受信周波数が、上記データテーブルの上記分割エリアのうち、あらかじめ選択された分割エリアにおける上記周波数のデータに含まれているかどうかを判別し、
この判別の結果、含まれているときには、このときの受信周波数のデータを上記メモリのデータエリアに記憶し、
この記憶により、その記憶されたデータエリアに対応する選局キーに、このとき受信している放送局をプリセットする
ようにした受信機。
【請求項２】
請求項１に記載の受信機において、
上記データテーブルは、
上記周波数のデータと、
その周波数の放送局を示すデータと
を有し、
プリセット時、上記分周比を変更して上記信号の周波数を変更することにより、受信周波数帯をスキャンするとともに、
このスキャン中に上記検出回路が上記放送波信号の検出を示したときには、このときの受信周波数が、上記データテーブルの上記分割エリアのうち、あらかじめ選択された分割エリアにおける上記周波数のデータに含まれているかどうかを判別し、
この判別の結果、含まれているときには、上記メモリのデータエリアをチェックして、このとき受信している放送局と同一名の放送局が上記選局キーにプリセットされているかどうかを判別し、
この判別の結果、上記同一名の放送局が上記選局キーにプリセットされていないときには、このときの受信周波数のデータを上記メモリのデータエリアに記憶し、
この記憶により。その記憶されたデータエリアに対応する選局キーに、このとき受信している放送局をプリセットする
ようにした受信機。
【発明の詳細な説明】
【０００１】
【発明の属する技術分野】
この発明は、プリセット機能を有する受信機に関する。
【０００２】
【従来の技術】
一般に、ＰＬＬを使用したシンセサイザ方式の受信機は、受信周波数を選局キーにプリセットしておくことができ、選局キーを押すと、その押されたキーにプリセットされている周波数を選局できるようにされている。
【０００３】
この場合、そのプリセットは、受信周波数のデータ、例えばＰＬＬの可変分周回路の分周比を、選局キーに対応したメモリのアドレスに書き込んでおくものである。また、選局は、押された選局キーに対応したアドレスから分周比を読み出し、これを可変分周回路にセットすることにより、実現している。
【０００４】
そして、分周比をプリセット用のメモリに書き込む方法として、エリアコールと呼ばれる方法がある。これは、例えば日本全国がいくつかのエリア（地域）に分割され、そのエリアを選択すると、そのエリアで受信できる周波数のデータがＲＯＭから読み出されてプリセット用のメモリに書き込まれるものである。
【０００５】
【発明が解決しようとする課題】
ところが、エリアコールの場合、ユーザが受信機を使用する場所の地理的条件によって、
(A) 受信できない放送局までプリセットされてしまう。この結果、受信不能局を削除しなければならず、煩わしい。また、プリセット用のメモリの浪費ともなってしまう。
(B) 山岳地帯などであって複数の中継局（親となる放送局と同一の内容を放送する局）がある場合、同一の放送局の中継局が数局プリセットされることがある。したがって、ユーザは、プリセットされた数局のうちから最良の局を選択したり、他の局を削除したりする必要がある。また、やはり、プリセット用のメモリの浪費となってしまう。
【０００６】
この発明は、以上のような問題点を解決しようとするものである。
【０００７】
【課題を解決するための手段】
このため、この発明においては、
ＰＬＬにおいて形成された信号を使用して受信信号の周波数変換を行うとともに、上記ＰＬＬの可変分周回路の分周比を変更することにより、上記信号の周波数を変更して受信周波数を変更するようにしたシンセサイザ方式の受信機において、
放送波信号を受信したとき、これを検出する検出回路と、
複数の選局キーと、
データテーブルと、
上記複数の選局キーのそれぞれにデータエリアが対応したメモリと
を有し、
上記データテーブルは、
受信機の使用されるエリアが複数のエリアに分割されたときの、その分割エリアごとに、その分割エリアで受信することのできる放送局の周波数のデータ
を有し、
プリセット時、上記分周比を変更して上記信号の周波数を変更することにより、受信周波数帯をスキャンするとともに、
このスキャン中に上記検出回路が上記放送波信号の検出を示したときには、このときの受信周波数が、上記データテーブルの上記分割エリアのうち、あらかじめ選択された分割エリアにおける上記周波数のデータに含まれているかどうかを判別し、
この判別の結果、含まれているときには、このときの受信周波数のデータを上記メモリのデータエリアに記憶し、
この記憶により、その記憶されたデータエリアに対応する選局キーに、このとき受信している放送局をプリセットする
ようにした受信機
とするものである。
【０００８】
【発明の実施の形態】
図１は、この発明をＦＭ受信機に適用した場合の１つを示す。そして、符号１０はシンセサイザ方式に構成されたＦＭ受信回路であり、アンテナ１１からの受信信号が、電子同調方式のアンテナ同調回路１２に供給されて目的とする周波数ｆRXの放送波信号ＳRXが取り出される。
【０００９】
そして、この信号ＳRXが、高周波アンプ１３を通じてミキサ回路１４に供給されるとともに、ＶＣＯ２１から周波数ｆLOが、例えば、
ｆLO＝ｆRX−ｆIF〔ｋHz〕                               ・・・  (1)
ｆIFは中間周波数で、例えば、ｆIF＝10.7ＭHz
の発振信号ＳLOが取り出され、この信号ＳLOがミキサ回路１４に局部発振信号として供給され、信号ＳRXは中間周波信号ＳIF（中間周波数ｆIF）に周波数変換される。
【００１０】
さらに、この中間周波信号ＳIFが、中間周波アンプ１５を通じてＦＭ復調回路１６に供給されてオーディオ信号が復調され、この信号がアンプ１７を通じてスピーカ１８に供給される。
【００１１】
そして、このとき、ＶＣＯ２１は、回路２２〜２５とともに、ＰＬＬ２０を構成している。すなわち、ＶＣＯ２１からの信号ＳLOが、可変分周回路２２に供給されて１／Ｎの周波数に分周され、この分周信号が位相比較回路２３に供給されるとともに、発振回路２４から基準周波数、例えば周波数100ｋHzの発振信号が取り出され、この発振信号が比較回路２３に供給され、その比較出力がローパスフィルタ２５を通じてＶＣＯ２１にその制御電圧として供給される。また、フィルタ２５の出力電圧が、同調回路１２に選局電圧として供給される。
【００１２】
したがって、定常状態においては、分周回路２２からの分周信号と、発振回路２４の発振信号とは周波数が等しいので、このときの発振信号ＳLOの周波数ｆLOは、
ｆLO＝Ｎ×0.1〔ＭHz〕                                  ・・・  (2)
となり、(1)、(2)式から
0003709899.tif 000002
となる。
【００１３】
したがって、分周比Ｎを、653〜793の間において「１」ずつ変化させれば、局部発振周波数ｆLOが、65.3ＭHz〜79.3ＭHzの間を100ｋHzの間隔で変化するので、受信周波数ｆRXは、76.0ＭHz〜90.0ＭHzの周波数帯を100ｋHzの周波数ステップで、かつ、分周比Ｎに対応して変化することになる。
【００１４】
さらに、中間周波アンプ１５からの中間周波信号ＳIFの一部が検出回路３１に供給され、検出回路３１からは、放送波信号ＳRXの受信レベルに対応してレベルの変化する直流信号Ｓ31、すなわち、放送波信号ＳRXの受信レベルの検出信号Ｓ31が取り出される。そして、この検出信号Ｓ31が、Ａ／Ｄコンバータ３２に供給されてアナログ検出信号Ｓ31からデジタル検出信号Ｓ31にＡ／Ｄ変換される。
【００１５】
また、復調回路３３からの復調出力の一部が検出回路３３に供給され、検出回路３３からは、
0003709899.tif 000003
となる同調検出信号Ｓ33が取り出される。
【００１６】
さらに、この受信機には、システム制御用として、マイクロコンピュータ４０が設けられている。このマイクロコンピュータ４０は、ＣＰＵ４１と、プログラム用のＲＯＭ４２と、ワークエリア用のＲＡＭ４３と、プリセット用のメモリ４４とを有する。そして、メモリ４２〜４４はシステムバス４９を通じてＣＰＵ４１に接続される。
【００１７】
この場合、ＲＯＭ４２には、これに書き込まれているプログラムの一部として、例えば図２に示すプリセットルーチン１００を有する。なお、このプリセットルーチン１００の詳細については、後述する。
【００１８】
さらに、ＲＯＭ４２は、エリアコール用の周波数データのデータベースとして、例えば図３に示すようなデータテーブルDTBLを有する。すなわち、図３のテーブルDTBLの場合には、日本全国が都道府県を単位として47エリアに分割される。そして、その分割されたエリアごとに、そのエリア名を示すデータTIMEIを有するとともに、そのエリアのどこかで実用的に放送を受信できる放送局（中継局を含む）の局名のデータKYOKUとを有する。さらに、その局名のデータKYOKUごとに、その放送局の周波数のデータとして分周比Ｎを有する。
【００１９】
なお、テーブルDTBLにおいて、かっこ内の数字は、その左側に記した分周比Ｎに対応する周波数ｆRXを参考のために示すものであり、これはテーブルDTBLに書き込まれてはいない。
【００２０】
さらに、メモリ４４は、データの消去および書き込みを電気的に行うことのできるＲＯＭとされ、あるいは、図示はしないが、電池によりバックアップされたＲＡＭとされ、すなわち、メモリ４４は不揮発性メモリとされ、電源をオフにしたときでも、書き込まれたデータを保持できるようにされている。
【００２１】
そして、このメモリ４４は、例えば図４に示すように、後述する選局キーの数に対応して、例えば10局分のデータエリアＡ0〜Ａ9を有し、そのデータエリアＡ0〜Ａ9のそれぞれに、その選局キーにプリセットされる放送局のための分周比Ｎと、その放送局の局名のデータKYOKUと、その放送局の放送波信号ＳRXを受信したときの受信レベルを示す検出信号Ｓ31とを記憶できるようにされている。
【００２２】
さらに、バス４９には、ポート５１〜５３およびキーインターフェイス回路５４が接続される。そして、ポート５１は分周回路２２に接続され、ＣＰＵ４１からの分周比Ｎが、ポート５１を通じて分周回路２２にセットされる。また、Ｄ／Ａコンバータ３２からの受信レベルの検出信号Ｓ31がポート５２を通じてマイクロコンピュータ４０に取り込まれるとともに、検出回路３３からの同調の検出信号Ｓ33がポート５３を通じてマイクロコンピュータ４０に取り込まれる。
【００２３】
さらに、インターフェイス回路５４には、プリセットキーＫP、アップキーＫU、ダウンキーＫDおよび10局分の選局キーＫ0〜Ｋ9が接続されている。なお、選局キーＫ0〜Ｋ9は、メモリ４４のデータエリアＡ0〜Ａ9にそれぞれ対応するものである。さらに、キーＫP〜Ｋ9は、いずれもノンロックタイプのプッシュスイッチにより構成されている。
【００２４】
また、バス４９には、ディスプレイコントローラ５５が接続され、このコントローラ５６に表示用のメモリ５６が接続されるとともに、表示素子として、例えばＬＣＤ６１が接続される。そして、ＣＰＵ４１からコントローラ５５に表示用のデータが供給されると、このデータがメモリ５６に書き込まれるとともに、この書き込まれたデータがコントローラ５５により繰り返し読み出されてＬＣＤ６１に供給され、ＬＣＤ６１には、コントローラ５５に供給されたデータに対応した文字などが表示される。
【００２５】
このような構成において、それぞれの動作が、マイクロコンピュータ４０の処理により以下のように実行される。
【００２６】
〔通常モード〕
これは、普通に放送を受信しているモードであるが、選局キーＫ0〜Ｋ9を使用して選局を行うことのできるモードでもある。
【００２７】
すなわち、任意の放送を受信している状態のとき、選局キーＫ0〜Ｋ9のうち、目的とする放送局のプリセットされている選局キーＫi（i＝0〜9のどれか）を押すと、メモリ４４のデータエリアＡ0〜Ａ9のうち、押された選局キーＫiに対応するデータエリアＡiから、そこに登録されている分周比Ｎが読み出される。そして、この読み出された分周比Ｎがポート５１を通じて可変分周回路２２にセットされ、以後、受信回路１０は、そのセットされた分周比Ｎに対応した受信周波数ｆRXとなる。
【００２８】
また、このとき、データエリアＡiから、放送局名のデータKYOKUも読み出され、このデータKYOKUがコントローラ５５に供給されてＬＣＤ６１にその放送局名が表示される。さらに、データエリアＡiから読み出された分周比Ｎが、(3)式にしたがって受信周波数ｆRXを示すデータに変換され、この受信周波数ｆRXを示すデータがコントローラ５５に供給されてＬＣＤ６１にその受信周波数ｆRXがデジタル表示される。また、同様にして、ＬＣＤ６１には、押された選局キーＫiの番号ｉもデジタル表示される。
【００２９】
したがって、選局キーＫiを押すと、その選局キーＫiにプリセットされている放送局を選局することができる。また、その放送局名や周波数も表示される。
【００３０】
〔プリセットモード〕
これは、選局キーＫ0〜Ｋ9に受信可能な放送局を自動的にプリセットするモードである。そして、これは、ＣＰＵ４１により、ルーチン１００が実行されることにより実現される。
【００３１】
すなわち、通常モードのとき、プリセットキーＫPを例えば２秒間にわたって押し続けると、これがＣＰＵ４１により判別され、ＣＰＵ４１の処理がルーチン１００のステップ１０１からスタートし、次にステップ１０２に進む。
【００３２】
そして、このステップ１０２においては、アップキーＫUを押すと、テーブルDTBLにおけるエリア名のデータTIMEIが、正順（図３において、上から下に向かう方向）に読み出されるとともに、その読み出されたエリア名のデータTIMEIがコントローラ５５に供給される。したがって、ＬＣＤ６１には、データTIMEIによるエリア名が、アップキーＫUを押すごとに正順に表示されていく。
【００３３】
また、ステップ１０２において、ダウンキーＫDを押すと、データテーブルDTBLからエリア名のデータTIMEIが、逆順（図３において、下から上に向かう方向）に読み出されるとともに、その読み出されたエリア名のデータTIMEIがコントローラ５５に供給される。したがって、ＬＣＤ６１には、データTIMEIによるエリアが、ダウンキーＫDを押すごとに逆順に表示されていく。
【００３４】
こうして、キーＫUあるいはＫDを押すと、ＬＣＤ６１には、エリア名が順に選択されて表示されていくが、現在、自分のいるエリア名が表示されたら、キーＫPをわずかの期間だけ押す。すると、そのときＬＣＤ６１に表示されているエリア名が確定され、以後、そのエリア名の欄にある放送局名のデータKYOKUおよび分周比Ｎが処理の対象となる。
【００３５】
例えば、ＬＣＤ６１に「東京」が表示されたとき、キーＫPを押すと、この「東京」が選択され、以後、この「東京」の欄にある放送局名のデータKYOKUおよび分周比Ｎ「放送大学、664」〜「ＮＨＫ浦和、744」が、処理の対象となる。
【００３６】
そして、エリア名が確定されると、処理はステップ１０２からステップ１０３に進み、このステップ１０３において、可変分周回路２２の分周比Ｎが、最小値653にセットされて受信回路１０の受信周波数ｆRXは最低周波数76.0ＭHzとされる。また、選局キーＫ0〜Ｋ9のうち、放送局のプリセットされる選局キーを指定するポインタＲが「０」にクリアされる。
【００３７】
続いて、ステップ１１１において、可変分周回路２２の分周比Ｎが最大値793を越えたかどうかがチェックされ、今の場合は、越えていないので、処理はステップ１１１からステップ１１２に進む。
【００３８】
そして、このステップ１１２において、ポート５３に供給される同調の検出信号Ｓ33をチェックすることにより、放送波信号ＳRXに同調しているかどうかが判別され、同調していないときには、処理はステップ１１２からステップ１１３に進み、このステップ１１３において、可変分周回路２２の分周比Ｎが「１」だけインクリメントされ、その後、処理はステップ１１１に戻る。
【００３９】
したがって、以後、ステップ１１１〜１１３が繰り返されるとともに、この繰り返しにより、受信回路１０の受信周波数ｆRXが、最低周波数から100ｋHzステップで順に上昇していき、すなわち、最低周波数からスキャンが開始されたことになる。
【００４０】
そして、ある周波数で放送波信号ＳRXに同調すると、これがステップ１１２により判別され、処理はステップ１１２からステップ１２１に進む。そして、このステップ１２１において、現在受信中の周波数ｆRX（分周比Ｎ）が、データテーブルDTBLのうち、ステップ１０２で選択したエリアに含まれているかどうかがチェックされ、含まれていないときには、処理はステップ１２１からステップ１１３に戻る。
【００４１】
したがって、スキャン中、なんらかの信号を受信しても、その信号が、ステップ１０２で選択したエリアで放送されている放送波信号ではないときには、その信号は無視されることになる。例えば、相互変調などにより、見掛け上、信号が受信できても、これは無視される。
【００４２】
しかし、ステップ１２１において、現在受信中の周波数ｆRXが、データテーブルDTBLのうち、ステップ１０２で選択したエリアに含まれているときには、処理はステップ１２１からステップ１２２に進み、このステップ１２２において、現在受信中の周波数ｆRXの放送局と同一名の放送局（中継局）が、データエリアＡ0〜Ａ9に登録されているかどうかが判別される。
【００４３】
この判別は、現在受信中の放送局の局名のデータKYOKU（これは、現在の分周比ＮによりデータテーブルDTBLを参照して得ることができる）が、データエリアＡ0〜Ａ9にあるかどうかをチェックすることにより、実現することができる。例えば、エリアが「東京」であって、周波数78.8ＭHzの「放送大学」を受信したときには、この受信した「放送大学」の局名のデータKYOKUを、データエリアＡ0〜Ａ9の放送局名のデータKYOKUと比較し、判別すればよい。
【００４４】
そして、判別の結果、現在受信中の周波数ｆRXの放送局と同一名の放送局が、データエリアＡ0〜Ａ9に登録されていないときには、処理はステップ１２２からステップ１２３に進み、このステップ１２３において、Ｒ＞９であるかどうか、すなわち、選局キーＫ0〜Ｋ9のすべてにプリセットが行われたかどうかがチェックされる。
【００４５】
そして、Ｒ＞９ではないときには、すなわち、まだ、プリセットの行われていない選局キーがあるときには、処理はステップ１２３にからステップ１２４に進み、このステップ１２４において、メモリ４４のデータエリアＡ0〜Ａ9のうち、第Ｒ番目のデータエリアＡRに、現在の分周比Ｎと、現在受信中の放送局の局名のデータKYOKUと、現在受信中の放送波信号ＳRXの受信レベルを示す検出信号Ｓ31とが書き込まれ、記憶される。したがって、選局キーＫ0〜Ｋ9のうち、データエリアＡRに対応する選局キーＫRに、現在受信中の放送局がプリセットされたことになる。
【００４６】
そして、その後、処理はステップ１２５に進み、このステップ１２５において、ポインタＲが「１」だけインクリメントされ、その後、処理はステップ１１３に戻る。したがって、以後、ステップ１１１〜１２５が繰り返され、ＦＭ放送帯がスキャンされて行くとともに、データテーブルDTBLに用意されている放送局の放送波信号ＳRXが受信されると、その放送局が選局キーＫ0〜Ｋ9のうちの１つに順にプリセットされていく。
【００４７】
ただし、この場合、新しく受信した放送局が、すでに選局キーＫ0〜Ｋ9のどれかにプリセットされているときには、すなわち、現在受信中の周波数ｆRXの放送局と同一名の放送局のデータが、データエリアＡ0〜Ａ9のうちのどれかのデータエリアＡx（x＝0〜9のどれか）に登録されているときには、これがステップ１２１において判別され、処理はステップ１２１からステップ１３１に進む。
【００４８】
そして、このステップ１３１において、Ａ／Ｄコンバータ３２からの検出信号Ｓ31と、データエリアＡxに記憶されている検出信号Ｓ31とを比較することにより、現在受信中の放送局の受信レベルと、データエリアＡxに記憶されている放送局の受信レベルとが比較される。
【００４９】
そして、現在受信中の放送局の受信レベルが、データエリアＡxに記憶されている放送局の受信レベルよりも高いときには、現在受信中の放送局の分周比Ｎと、その放送局名のデータKYOKUと、受信レベルの検出信号Ｓ31とが、データエリアＡxに上書きされる。そして、その後、処理はステップ１１３に戻る。
【００５０】
しかし、ステップ１３１において、現在受信中の放送局の受信レベルが、データエリアＡxに記憶されている放送局の受信レベルよりも低いときには、処理はステップ１３１からステップ１１３に進む。
【００５１】
したがって、データエリアＡxにデータの記憶されている放送局と同一名の放送局を受信したときには、そのデータエリアＡxにデータの記憶されている放送局と、現在受信した放送局とのうち、受信レベルの高い方の放送局のデータが、データエリアＡxに保持されることになる。
【００５２】
さらに、ステップ１２３において、Ｒ＞９のときには、選局キーＫ0〜Ｋ9のすべてにプリセットが行われている場合なので、処理はステップ１２３からステップ１１３に進み、ステップ１２４、１２５は無視される。
【００５３】
こうして、ＦＭ放送帯の最高周波数90ＭHzまでスキャンが行われると、このとき、ステップ１１３により分周比Ｎが最大値793を越えるとともに、これがステップ１１１により判別され、処理はステップ１１１からステップ１４１に進み、このルーチン１００を終了する。
【００５４】
以上のようにして選局キーＫ0〜Ｋ9のプリセットが行われるが、この場合、ステップ１１２、１２１により、データテーブルDTBLにデータが登録されている放送局のうち、実際に放送を受信できる放送局だけがプリセットされる。
【００５５】
また、ステップ１２２により、中継局のように周波数が異なるが、内容が同一の放送局が複数局あっても、そのうちの１つの局だけがプリセットされる。さらに、そのプリセット時、受信レベルが最大の局がプリセットされる。
【００５６】
〔まとめ〕
以上のように、図１のＦＭ受信機によれば、データテーブルDTBLにデータが登録されている放送局のうち、実際に放送を受信できる放送局だけが、選局キーＫ0〜Ｋ9にプリセットされるので、プリセット用のメモリ４４を浪費することがない。また、実際に受信できる放送局だけがプリセットされるので、受信できない放送局を削除する手間が不要である。
【００５７】
さらに、ステップ１２２により、周波数が異なるが、内容が同一の放送局が複数局あっても、そのうちの１つの局だけがプリセットされるので、やはり、メモリ４４が浪費されることがなく、また、重複してプリセットされた放送局を削除する手間が不要である。
【００５８】
しかも、周波数が異なるが、内容が同一の放送局の場合には、受信レベルが最大の局がプリセットされるので、良好な受信状態を得ることができる。
さらに、以上のことにより、デッキタイプ（据え置き型）の受信機の本来あるべき姿のエリアコール機能を実現することができる。
【００５９】
なお、上述においては、プリセットキーＫPを例えば２秒間押し続けると、プリセットモードになるとしたが、例えば、ＬＣＤ６１にメニューを表示し、このメニューからプリセットモードを選択して実行するようにもできる。また、ステップ１０２におけるエリアの選択なども、アップキーＫUおよびダウンキーＫDに代わってロータリーエンコーダにより行うこともできる。
【００６０】
さらに、上述においては、同一内容の放送局が複数局ある場合には、検出信号Ｓ31およびステップ１３１により、受信レベルの高い方の放送局を選局キーにプリセットするようにしたが、マルチパスなどもチェックし、受信状態のより良好な放送局をプリセットすることもできる。また、検出回路３３を省略し、検出信号Ｓ31を使用して同調の検出を行うこともできる。
【００６１】
さらに、上述においては、受信回路１０がＦＭ放送を受信する場合であるが、ＡＭ放送あるいはテレビ放送を受信する場合も、同様に構成することができる。
【００６２】
【発明の効果】
この発明によれば、実際に受信できる放送局だけがプリセットされるので、プリセット用のメモリを浪費することがない。また、受信できない放送局を削除する手間が不要である。
【図面の簡単な説明】
【図１】この発明の一形態を示す系統図である。
【図２】この発明の一形態を示すフローチャートである。
【図３】データテーブルの一形態を示す図である。
【図４】メモリの一形態を示す図である。
【符号の説明】
１０  受信回路
１４  ミキサ回路
１５  中間周波アンプ
１６  ＦＭ復調回路
２０  ＰＬＬ
２１  ＶＣＯ
２２  可変分周回路
３１  検出回路（受信レベル用）
３３  検出回路（同調用）
４０  マイクロコンピュータ
４１  ＣＰＵ
４２  ＲＯＭ（プログラムおよびデータ用）
４４  メモリ（プリセット用）
５５  ディスプレイコントローラ
６１  ＬＣＤ
１００  プリセットルーチン
ＫP〜Ｋ9  操作キー
【図１】
0003709899.tif 000004
【図２】
0003709899.tif 000005
【図３】
0003709899.tif 000006
【図４】
0003709899.tif 000007